(57)【要約】      （修正有）【課題】構造的に単純な４：１ケーブルガイダンスを有するエレベータを得る。【解決手段】駆動ユニット５と第１の偏向ローラ８は、第１のケージガイドレール１５と第１の釣合い重りガイドレール１９との一方の端と、第２の釣合い重りガイドレール２０の他方の端とに支持された、キャリヤ２１に配置される。これらのガイドレールは、ヨークによって昇降路壁に連結されており、それによって垂直レール力は昇降路ピットに伝えられる。キャリヤに配置された駆動ブラケット２３は、駆動ユニット５と駆動プーリ３を支持する。キャリヤに配置されたローラブラケット２４は、第１の偏向ローラ８を支持する。更に第１のケーブル固定点６と第２のケーブル固定点１３は、キャリヤに配置されている。第２の偏向ローラは、第２のケージガイドレール上に支持される。【選択図】図３
2005263490.tif 000002
【特許請求の範囲】
【請求項１】
エレベータケージ（１）と釣合い重り（２）とからなる大荷重用エレベータであって、ガイドレール（１５、１６）に沿って移動可能なエレベータケージ（１）は、駆動プーリ（３）の上をガイドされるケーブル（４）によってガイドレール（１９、２０）に沿って移動可能である釣合い重り（２）に連結されており、ケーブル（４）は、第１のケーブル固定点（６）から釣合い重り（２）の第１の偏向ローラ（７）に、更に第１の偏向ローラ（８）に、更に釣合い重り（２）の第２の偏向ローラ（９）に、更に駆動ユニット（５）によって駆動可能な駆動プーリ（３）に、更に駆動プーリ（３）からエレベータケージ（１）の下方に配置された第１の偏向ローラ対（１０）に、更に第２の偏向ローラ（１１）に、更にエレベータケージ（１）の下方に配置された第２の偏向ローラ対（１２）に、そして更に第２のケーブル固定点（１３）に導かれており、数本のガイドレール（１５、１９、２０）によって支持されたキャリヤ（２１）であって、駆動プーリ（３）を有する駆動ユニット（５）と第１の偏向ローラ（８）とケーブル固定点（６、１３）とが配置されたキャリヤ（２１）が設けられていることを特徴とする、大荷重用エレベータ。
【請求項２】
第２の偏向ローラ（１１）はガイドレール（１６）によって支持されるローラブラケット（２５）に配置されることを特徴とする、請求項１に記載のエレベータ。
【請求項３】
ローラブラケット（２５）は速度制限器（２７）が搭載され得るアーム（２６）を備えることを特徴とする、請求項２に記載のエレベータ。
【請求項４】
駆動プーリ（３）を有する駆動ユニット（５）の長手方向の軸は、少なくとも釣合い重り（２）のガイドレール（１９、２０）が配置される昇降路壁に垂直に延びることを特徴とする、請求項１から３のいずれか一項に記載のエレベータ。
【請求項５】
駆動プーリ（３）を有する駆動ユニット（５）の長手方向の軸は、少なくとも釣合い重り（２）のガイドレール（１９、２０）が配置される昇降路壁に平行に延びることを特徴とする、請求項１から３のいずれか一項に記載のエレベータ。
【発明の詳細な説明】
【技術分野】
【０００１】
本発明は、エレベータケージと釣合い重りとからなる大荷重用エレベータであって、ガイドレールに沿って移動可能なエレベータケージは、駆動プーリの上をガイドされるケーブルによってガイドレールに沿って移動可能である釣合い重りに連結されており、ケーブルは、第１のケーブル固定点から釣合い重りの第１の偏向ローラに、更に第１の偏向ローラに、更に釣合い重りの第２の偏向ローラに、更に駆動ユニットによって駆動可能な駆動プーリに、更に駆動プーリからエレベータケージの下方に配置された第１の偏向ローラ対に、更に第２の偏向ローラに、更にエレベータケージの下方に配置された第２の偏向ローラ対に、そして更に第２のケーブル固定点に導かれる、大荷重用エレベータに関する。
【背景技術】
【０００２】
エレベータケージと釣合い重りとを有するエレベータ装置は、国際公開第９９／４３５９３号パンフレットから知られており、ここではエレベータケージは駆動プーリ上をガイドされるケーブルによって釣合い重りに連結される。エレベータケージのアンダールーピング（減速巻付け）（ｕｎｄｅｒ−ｌｏｏｐｉｎｇ）を有する４：１ケーブルガイダンスが設けられており、ここでは駆動プーリにおけるケーブルの動き１メートルにつき、エレベータケージまたは釣合い重りは１メートルの１／４だけ垂直方向に移動する。
【０００３】
駆動ユニットがエレベータケージのガイドレール上と、釣合い重りのガイドレール上と、支柱上とに支持されるエレベータ装置は、国際公開第０３／０１００８１号パンフレットから知られている。更に、釣合い重りの第２のガイドレールの一方の端と駆動ユニットのブラケットの他方の端とで支持される十字部材が設けられる。一方のケーブル固定点は、この十字部材に配置される。
【０００４】
支柱上の駆動ユニットの支持のための高価な解決策は、この装置の場合には不利である。
【特許文献１】国際公開第９９／４３５９３号パンフレット
【特許文献２】国際公開第０３／０１００８１号パンフレット
【発明の開示】
【発明が解決しようとする課題】
【０００５】
ここで本発明は、改善方法を提供する。本発明は請求項１で特徴付けられるように、既知の装置の欠点を避けて、構造的に単純な４：１ケーブルガイダンスを有するエレベータを創出するという目的を満足させる。
【課題を解決するための手段】
【０００６】
本発明の有利な展開は、従属の特許請求項に示されている。本発明によって達成される利点は本質的に、昇降路天井にも昇降路壁にも垂直力が伝わらないことに見られる筈である。垂直力を発生させるすべての構成要素は、既存のガイドレールに低コストで取り付けることができる。エンジンルーム（機関室）を持たないエレベータは、大荷重用でも単純な構造で作ることができ、この場合、発生する力は最適な仕方で分散され得る。
【０００７】
本発明は、添付の図面に基づいて更に詳細に説明される。
【発明を実施するための最良の形態】
【０００８】
図１は、エレベータケージ１と釣合い重り２とを有する、最新技術から知られるエレベータを示しており、エレベータケージ１は駆動プーリ３の上をガイドされるケーブル４によって釣合い重り２に連結されている。駆動プーリ３は、駆動ユニット５によって駆動される。エレベータケージ１のアンダールーピングを有する４：１ケーブルガイダンスが設けられており、ここでは駆動プーリ３におけるケーブルの動き１メートルにつき、エレベータケージ１または釣合い重り２は１メートルの１／４だけ垂直方向に移動する。
【０００９】
ケーブル４は、第１の上部ケーブル固定点６から釣合い重り２の第１の偏向ローラ７に、更に第１の上部偏向ローラ８に、更に釣合い重り２の第２の偏向ローラ９に、更に最上部に配置されていて駆動ユニット５によって駆動可能な駆動プーリ３に、更に駆動プーリ３からエレベータケージ１の下方に配置された第１の偏向ローラ対１０に、更に第２の上部偏向ローラ１１に、更にエレベータケージ１の下方に配置された第２の偏向ローラ対１２に、そして更に第２の上部ケーブル固定点１３に導かれる。
【００１０】
図２は、４：１ケーブルガイダンスを有する本発明によるエレベータの平面図を示す。第１のケージガイドレール１５と第２のケージガイドレール１６とに沿ってエレベータ昇降路１４内を移動可能なエレベータケージ１は、ドア駆動装置（図示せず）によって階ドア１８と協働する少なくとも一つのケージ引戸（滑動ドア）１７を有する。釣合い重り２は、第１の釣合い重りガイドレール１９と第２の釣合い重りガイドレール２０とに沿ってエレベータ昇降路１４内を移動可能であり、この昇降路は昇降路壁１４．１と昇降路天井１４．２とによって境界が決められている。エレベータ昇降路１４の最上部は、昇降路ヘッド１４．３と呼ばれる。ケーブル４は、平行にガイドされる数本のケーブルを有するケーブルランとして構成される。簡略化のために用語「ケーブル」は、引き続き使用される。ケーブル４の代わりに平ベルトを設けることもできる。偏向ローラ７、８、９、１０、１１、１２と駆動プーリ３は、ケーブルまたは平ベルトの本数に対応して溝を持っている。駆動ユニット５は、例えば永久磁石を有する非同期モータまたは同期モータを備えることができる。
【００１１】
偏向ローラ７、８、９、１０、１１、１２と駆動プーリ３と駆動ユニット５との配置は、図２の平面図から明らかであるが、駆動プーリ３を有する駆動ユニット５の長手方向の軸は、少なくとも釣合い重り２のガイドレール１９、２０が配置される昇降路壁に垂直に延びている。
【００１２】
図３と図４は、本発明によるエレベータの駆動ユニット５と第１の上部偏向ローラ８との配置の詳細を示す。キャリヤ２１は、第１のケージガイドレール１５と第１の釣合い重りガイドレール１９との一方の端と、第２の釣合い重りガイドレール２０の他方の端とに支持されている。これらのガイドレールは、ヨーク２２によって昇降路壁１４．１に連結されており、これによって垂直レール力は、昇降路ピットに伝えられる。キャリヤ２１に配置された駆動ブラケット２３は、駆動ユニット５と駆動プーリ３とを支持する。キャリヤ２１に配置されたローラブラケット２４は、第１の上部偏向ローラ８を支持する。更に第１の上部ケーブル固定点６と第２の上部ケーブル固定点１３とがキャリヤ２１に配置されている。
【００１３】
図５と図６は、本発明によるエレベータの第２の上部偏向ローラ１１の配置の詳細を示す。ローラブラケット２５は、第２のケージガイドレール１６上に支持され、第２の上部偏向ローラ１１を支持する。ローラブラケット２５は、速度制限器２７が搭載され得るアーム２６を備える。ガイドレール１１は、ヨーク２２によって昇降路壁１４．１に連結され、それによって垂直レール力は昇降路ピットに伝えられる。
【００１４】
図７は、駆動プーリ３を有する駆動ユニット５の配置の構造的変形を示す。駆動プーリ３を有する駆動ユニット５の長手方向の軸は、少なくとも釣合い重り２のガイドレール１９、２０が配置される昇降路壁に平行に延びる。釣合い重り２の偏向ローラ７、９とキャリヤ２１の偏向ローラ８は、傾けて配置される。再び、ケーブル固定点６、１３はキャリヤ２１に配置される。
【図面の簡単な説明】
【００１５】
【図１】４：１ケーブルガイダンスを有するエレベータを示す図である。
【図２】４：１ケーブルガイダンスを有する本発明によるエレベータの平面図である。
【図３】本発明によるエレベータの駆動ユニットと偏向ローラとの配置の詳細を示す図である。
【図４】本発明によるエレベータの駆動ユニットと偏向ローラとの配置の詳細を示す図である。
【図５】本発明によるエレベータの第２の偏向ローラの配置の詳細を示す図である。
【図６】本発明によるエレベータの第２の偏向ローラの配置の詳細を示す図である。
【図７】駆動ユニットの配置の構造的変形を示す図である。
【符号の説明】
【００１６】
１  エレベータケージ
２  釣合い重り
３  駆動プーリ
４  ケーブル
５  駆動ユニット
６  第１のケーブル固定点
７、８  第１の偏向ローラ
９、１１  第２の偏向ローラ
１０  第１の偏向ローラ対
１２  第２の偏向ローラ対
１３  第２のケーブル固定点
１４  エレベータ昇降路
１４．１  昇降路壁
１４．２  昇降路天井
１４．３  昇降路ヘッド
１５  第１のケージガイドレール
１６  ガイドレール
１７  ケージ引戸
１８  階ドア
１９  第１の釣合い重りガイドレール
２０  第２の釣合い重りガイドレール
２１  キャリヤ
２２  ヨーク
２３  駆動装置ブラケット
２４、２５  ローラブラケット
２６  アーム
２７  速度制限器
【図１】
2005263490.tif 000003
【図２】
2005263490.tif 000004
【図３】
2005263490.tif 000005
【図４】
2005263490.tif 000006
【図５】
2005263490.tif 000007
【図６】
2005263490.tif 000008
【図７】
2005263490.tif 000009
【外国語明細書】
2005263490.tif 000010
2005263490.tif 000011
2005263490.tif 000012
2005263490.tif 000013
2005263490.tif 000014
2005263490.tif 000015
2005263490.tif 000016
2005263490.tif 000017
2005263490.tif 000018
2005263490.tif 000019
2005263490.tif 000020
2005263490.tif 000021
2005263490.tif 000022